(57)【特許請求の範囲】
【請求項１】
制御対象となる複数の負荷の状態を、個別又はグループで変化させるための操作端末器と、外部システムからの接点信号に応じて、前記制御対象となる複数の負荷の状態を、グループで変化させるための接点入力ターミナルユニットと、負荷が接続された負荷制御端末器とが信号線を介して伝送ユニットにそれぞれ接続されており、前記操作端末器又は接点入力ターミナルユニットから送信される伝送信号に基づいて、前記伝送ユニットが、前記操作端末器又は接点入力ターミナルユニットに関連付けられたアドレス情報と対応する前記負荷制御端末器を介して、当該負荷制御端末器に接続する負荷を制御する制御システムに用いられる負荷制御端末器において、
前記伝送ユニットからの制御指示に応じて、自己に接続する負荷の状態を制御する制御手段と、
復帰用情報が記憶される記憶手段と、
前記伝送ユニットからの記憶指示に応じて、自己に接続する負荷に関する現在の制御状態を前記復帰用情報として前記記憶手段に記憶する処理手段とを有し、
前記制御手段は、前記伝送ユニットから復帰指示を取得した場合には、前記記憶手段に記憶された前記復帰用情報に対応させて、自己に接続する負荷の状態を制御し、
前記記憶指示は、制御対象となる複数の負荷を所定の制御状態へと一括的に移行させる緊急指示を前記伝送ユニットが前記接点入力ターミナルユニットから取得した場合に、前記伝送ユニットが自己に接続する全ての前記負荷制御端末器に対して一斉に送信する指示であり、
前記伝送ユニットから、前記記憶指示、前記緊急指示を取得した後に、記憶終了指示を取得した場合には、前記復帰用情報を前記記憶手段に記憶することを特徴とする負荷制御端末器。
【請求項２】
前記伝送ユニットは、前記緊急指示を取得した場合、前記記憶指示を送信した後に、当該緊急指示に対応する前記負荷制御端末器に対して、前記所定の制御状態へと移行するための制御指示を送信しており、
前記処理手段は、前記伝送ユニットから前記記憶指示を取得した後に、前記制御手段において前記緊急指示に対応する制御指示を取得したことを条件として、前記復帰用情報を前記記憶手段に記憶することを特徴とする請求項１に記載された負荷制御端末器。
【発明の詳細な説明】
【技術分野】
【０００１】
本発明は、多重伝送方式によって伝送される所定の制御信号にて負荷を制御する制御システムに用いる操作端末器および伝送ユニットに関する。
【背景技術】
【０００２】
従来より、制御対象となる負荷の状態を変化させるための入力端末器と、負荷が接続された負荷制御端末器とが信号線を介して伝送ユニットにそれぞれ接続されており、入力端末器から送信される伝送信号に基づいて、伝送ユニットが、入力端末器に関連付けられたアドレス情報と対応する負荷制御端末器を介して、この負荷制御端末器に接続する負荷を制御する制御システムが知られている（例えば、特許文献１，２参照）。
【０００３】
この類の制御システムでは、利用者の利便性を考慮して、個別制御、グループ制御、パターン制御といった種々の制御形態が用意されている。個別制御は、単一の負荷を制御対象として、制御状態を一括的に制御する手法であり、グループ制御は、同一のグループに含まれる複数の負荷を制御対象として、同一の制御状態へと一括的に制御する手法である。一方、パターン制御は、複数の負荷を制御対象として、それぞれの負荷に予め定められた所定の制御状態へと一括的に制御する手法である。
【０００４】
また、特許文献３には、一旦点灯状態が変化した後に再度もとの点灯状態に復帰した場合に、点灯状態が変化する以前の調光出力レベルで点灯することのできる照明装置が開示されている。
【特許文献１】特開２００６−９３９８３号公報
【特許文献２】特開２００６−３４０１１０号公報
【特許文献３】特開平１１−９７１８４号公報
【発明の開示】
【発明が解決しようとする課題】
【０００５】
しかしながら、個々の負荷が個別制御されていたようなシーンにおいて、グループ制御またはパターン制御といったように、複数の負荷に対する制御状態を一括的に制御した場合には、個々の負荷の制御状態を、従前の状態へと容易に復帰させることができないという問題がある。
【０００６】
本発明は、このような事情に鑑みてなされたものであり、その目的は、一括的な制御が行われた場合であっても、個々の負荷の制御状態を従前の状態へと容易に復帰させることである。
【課題を解決するための手段】
【０００７】
かかる課題を解決するために、第１の発明は、制御対象となる負荷の状態を変化させるための入力端末器と、負荷が接続された負荷制御端末器とが信号線を介して伝送ユニットにそれぞれ接続されており、入力端末器から送信される伝送信号に基づいて、伝送ユニットが、入力端末器に関連付けられたアドレス情報と対応する負荷制御端末器を介して、この負荷制御端末器に接続する負荷を制御する制御システムに用いられる負荷制御端末器を提供する。この負荷制御端末は、伝送ユニットからの制御指示に応じて、自己に接続する負荷の状態を制御する制御手段と、復帰用情報が記憶される記憶手段と、伝送ユニットからの記憶指示に応じて、自己に接続する負荷に関する現在の制御状態を復帰用情報として記憶手段に記憶する処理手段とを有する。この場合、制御手段は、伝送ユニットから復帰指示を取得した場合には、記憶手段に記憶された復帰用情報に対応させて、自己に接続する負荷の状態を制御し、記憶指示は、制御対象となる複数の負荷を所定の制御状態へと一括的に移行させる緊急指示を前記伝送ユニットが接点入力ターミナルユニットから取得した場合に、伝送ユニットが自己に接続する全ての負荷制御端末器に対して一斉に送信する指示であり、伝送ユニットから、記憶指示、緊急指示を取得した後に、記憶終了指示を取得した場合には、復帰用情報を記憶手段に記憶する。
【０００８】
ここで、第１の発明において、記憶指示は、複数の負荷を制御対象としてそれぞれの負荷に予め定められた所定の制御状態へと一括的に移行する緊急指示を伝送ユニットが接点入力ターミナルユニットから取得した場合に、伝送ユニットが自己に接続する全ての負荷制御端末器に対して一斉に送信する指示であることが好ましい。
【０００９】
また、第１の発明において、伝送ユニットは、緊急指示を取得した場合、記憶指示を送信した後に、この緊急指示に対応する負荷制御端末器に対して、所定の制御状態へと移行するための制御指示を送信していることが好ましい。この場合、処理手段は、伝送ユニットから記憶指示を取得した後に、制御手段において緊急指示に対応する制御指示を取得したことを条件として、復帰用情報を記憶手段に記憶する。
【００１０】
また、第２の発明は、制御対象となる負荷の状態を変化させるための入力端末器と、負荷が接続された負荷制御端末器とが信号線を介して伝送ユニットにそれぞれ接続されており、入力端末器から送信される伝送信号に基づいて、伝送ユニットが、入力端末器に関連付けられたアドレス情報と対応する負荷制御端末器を介して、この負荷制御端末器に接続する負荷を制御する制御システムに用いられる伝送ユニットを提供する。この伝送ユニットは、入力端末器からの負荷状態変化指示に応じて、この入力端末器に関連付けられたアドレス情報と対応する負荷制御端末器に対して、制御指示を送信する制御手段と、負荷制御端末器を介して、この負荷制御端末器に接続する負荷の制御状態を特定する特定手段と、入力端末器からの緊急指示にともない所定の制御状態へと制御する負荷の情報をパターン情報として記憶する記憶手段と、入力端末器から緊急指示を取得した場合に、特定手段によって特定される負荷の制御状態のうち、パターン情報に該当する負荷の情報を選択して、復帰用情報として記憶手段に記憶する処理手段とを有する。
【発明の効果】
【００１１】
第１の発明によれば、負荷制御端末器が伝送ユニットからの記憶指示に応じて復帰用情報を記憶することができるので、この復帰用情報を参照することにより、個々の負荷の制御状態を従前の状態へと容易に復帰させることができる。
【００１２】
また、第１の発明によれば、記憶指示が、一括的な制御状態への移行を示す緊急指示に対応して送信されるので、一括的な制御が行われた場合であっても、個々の負荷の制御状態を従前の状態へと容易に復帰させることができる。
【００１３】
また、第１の発明によれば、緊急指示に対応して制御状態が移行させられた負荷に限定して、その制御状態が記憶されるので、関係のない負荷の状態が復帰されてしまうという不都合を抑制することができる。
【００１４】
また、第２の発明によれば、伝送ユニットが緊急指示を取得した場合に、負荷制御端末器を介して復帰用情報を記憶することができるので、この復帰用情報を利用して、個々の負荷の制御状態を従前の状態へと容易に復帰させることができる。
【発明を実施するための最良の形態】
【００１５】
（第１の実施形態）
図１は、本発明の第１の実施形態にかかる照明制御システムを模式的に示す構成図である。照明制御システムは、伝送ユニット１０と、調光ターミナルユニット（以下「調光Ｔ／Ｕ」という）２０と、接点入力ターミナルユニット（以下「接点入力Ｔ／Ｕ」という）３０と、トランス４０と、操作端末器５０とを主体に構成されている。
【００１６】
調光Ｔ／Ｕ２０、接点入力Ｔ／Ｕ３０および操作端末器５０は、２線式の信号線を介して伝送ユニット１０と相互に接続されており、伝送ユニット１０との情報のやり取りを、信号線に多重伝送方式で伝送される伝送信号を通じて行う。
【００１７】
システム内に存在する照明装置１は、負荷アドレスによって一意に特定することができる。具体的には、調光Ｔ／Ｕ２０には、負荷チャネル（Ｃｈ）と呼ばれる、ユニット単体を識別する固有の識別子と、負荷ナンバー（Ｎｍ）と呼ばれる、自己に接続する照明装置１に対応付ける固有の識別子が割り当てられている。負荷アドレス（Ｃｈ−Ｎｍ）は、負荷チャネル（Ｃｈ）と、負荷ナンバー（Ｎｍ）とを組み合わせることにより構成されている。
【００１８】
本実施形態にかかる照明制御システムは、伝送ユニット１０が、接点入力Ｔ／Ｕ３０または操作端末器５０からの伝送信号に基づいて、調光Ｔ／Ｕ２０を介して、照明装置１の状態を制御することができる。この照明制御システムでは、個別制御、グループ制御およびパターン制御といった様々な照明制御を行うことができる。個別制御は、単一の照明装置１を制御対象として、オン状態、オフ状態および調光状態を制御する手法であり、グループ制御は、同一のグループに含まれる複数の照明装置１を制御対象として、オン状態、オフ状態および調光状態を一括的に制御する手法である。一方、パターン制御は、複数の照明装置１を制御対象として、それぞれの照明装置１に予め定められた所定の制御状態（以下「パターン状態」という）へと一括的に制御する手法である。
【００１９】
伝送ユニット１０は、内部のプロセッサの制御のもと、接点入力Ｔ／Ｕ３０または操作端末器５０からの伝送信号に基づいて、接点入力Ｔ／Ｕ３０または操作端末器５０に関連付けられたアドレス情報から制御対象となる照明装置１を特定するとともに、当該照明装置１に対する制御状態を特定する。そして、伝送ユニット１０は、制御対象となる照明装置１と対応する調光Ｔ／Ｕ２０に対して、照明装置１のアドレス情報と、その制御状態とを制御指示として送信する。
【００２０】
このアドレス情報は、個別アドレス、グループアドレスまたはパターンアドレスを含む。個別アドレスは、個別制御の対象となる照明装置１を特定するための情報であり、負荷アドレスがこれに該当する（例えば、「０−１」など）。グループアドレスは、グループ制御の対象となるグループを特定するための情報であり、予め設定された個々のグループに付与された番号等がこれに該当する（例えば、「Ｇ１」など）。パターンアドレスは、パターン制御の対象となるパターンを特定するための情報であり、予め設定された個々のパターンに付与された番号等がこれに該当する（例えば、「Ｐ１」など）。
【００２１】
伝送ユニット１０は、個々のグループアドレス毎に、そのグループに割り当てられる照明装置１の負荷アドレスを示したグループ情報を保持している。そのため、伝送ユニット１０は、接点入力Ｔ／Ｕ３０または操作端末器５０からグループアドレスを取得した場合には、グループ情報を検索することで、このグループアドレスに該当する複数の照明装置１（負荷アドレス）を特定することができる。
【００２２】
また、伝送ユニット１０は、個々のパターンアドレス毎に、そのパターンに割り当てられる照明装置１の負荷アドレスと、その照明装置１のパターン状態（例えば、オン状態、オフ状態または調光状態）との対応関係を示したパターン情報を保持している。そのため、伝送ユニット１０は、接点入力Ｔ／Ｕ３０または操作端末器５０からパターンアドレスを取得した場合には、パターン情報を検索することで、このパターンアドレスに該当する複数の照明装置１（負荷アドレス）と、個々の照明装置１に対するパターン状態とを特定することができる。
【００２３】
図２は、調光Ｔ／Ｕ２０の構成を示すブロック図である。調光Ｔ／Ｕは、照明装置１の状態（調光状態）を制御する負荷制御端末器としての機能を担っている。この調光Ｔ／Ｕ２０は、伝送用制御部（制御手段および処理手段）２０ａと、調光用制御部（制御手段および処理手段）２０ｂと、伝送信号送受信部２０ｃと、光通信部２０ｄと、記憶部（記憶手段）２０ｅと、ゼロクロス検出部２０ｆと、電源部２０ｇと、負荷用リレー２０ｈと、調光部２０ｉとで構成されている。
【００２４】
伝送用制御部２０ａは、伝送ユニット１０との間における通信、各種の演算処理といった統合的な制御を行う機能を担っており、必要に応じて、調光用制御部２０ｂとの間で情報のやり取りを行うことができる。調光用制御部２０ｂは、照明装置１の調光状態を制御する機能を担っている。伝送信号送受信部２０ｃは、伝送ユニット１０から送信される伝達信号を受信してこれを伝送用制御部２０ａに出力するとともに、伝送用制御部２０ａからの応答に対応する伝送信号を信号線を介して伝送ユニット１０に送信する。
【００２５】
光通信部２０ｄは、設定者によって操作されるアドレス設定器（図示せず）との間で、光通信による情報の送受信を行う。光通信部２０ｄによって受信されたアドレス設定器からの情報は、伝送用制御部２０ａに対して出力される。アドレス設定器との通信により、調光Ｔ／Ｕ２０に関連付ける負荷アドレスを取得することができる。
【００２６】
記憶部２０ｅは、各種の設定情報を記憶する機能を担っており、例えば、ＥＥＰＲＯＭといった不揮発性メモリを用いることができる。また、この記憶部２０ｅには、伝送用制御部２０ａに制御されて、後述する復帰用情報が記憶される。電源部２０ｇは、ユニットが動作するために必要な電力を供給する機能を担っており、また、ゼロクロス検出部２０ｆは、交流電源電圧のゼロクロスを検出する。
【００２７】
負荷用リレー２０ｈは、伝送用制御部２０ａに制御されて、ブレーカ電源などからの商用交流をオンまたはオフすることにより、照明装置１をオン状態（点灯状態）またはオフ状態（消灯状態）に制御する。調光部２０ｉは、調光用制御部２０ｂに制御されて、照明装置１の調光状態を設定する。
【００２８】
再び図１を参照するに、接点入力Ｔ／Ｕ３０および操作端末器５０は、制御対象となる照明装置１を制御するための制御指示を出力するための入力端末器としての機能を担っている。
【００２９】
接点入力Ｔ／Ｕ３０は、外部システム３５の接点（無電圧ａ接点）からの接点信号を接続することにより、外部システム３５を介して、上述した各照明制御を行うことができる。接点入力Ｔ／Ｕ３０には、後述するトランス４０からの電力線が接続される一対の端子からなる第１の端子部３１と、２線式の信号線が接続される一対の端子からなる第２の端子部３２と、外部システム３５からの接点信号が接続される一対の端子からなる第３の端子部（接続部）３３とが設けられている（図１参照）。また、接点入力Ｔ／Ｕ３０には、トランス４０が接続されており、このトランス４０から電力を接点入力検知用の回路に対して供給する。
【００３０】
本実施形態において、接点入力Ｔ／Ｕ３０は、伝送ユニット１０に対して緊急指示または復帰指示を出力する。ここで、緊急指示は、外部システム３５による接点メイクに対応した接点信号状態を表す信号であり、これにより、予め所定の照明装置１を全点灯（１００％点灯）状態へと移行させるパターン制御を行う。そのため、接点入力Ｔ／Ｕ３０には、このパターン制御に対応したパターンアドレスが設定されている（例えば「ＰＥ」）。一方、復帰指示は、外部システム３５による接点ブレークに対応して接点信号状態を表す信号であり、これにより、パターン制御された照明装置１を、そのパターン制御以前の状態へと復帰させる。この接点入力Ｔ／Ｕ３０は、接点メイクまたは接点ブレークに対応する接点信号の変化に応じて、自己に設定されているアドレス情報（ＰＥ）と、接点信号状態とを制御指示として伝送ユニット１０に送信する。
【００３１】
操作端末器５０は、室内や管理人室などの任意の壁面に設置されており、照明装置１を利用するユーザによってプッシュ操作が可能な端末器である。操作端末器５０には、制御対象となる照明装置１に対応するアドレス情報が関連付けられており、操作スイッチを通じて、アドレス情報に対応する照明装置１（グループまたはパターン）をオン状態、オフ状態または所定の調光状態へと制御することができる。操作端末器５０は、内部のプロセッサの制御のもと、操作スイッチが操作されるのに応じて、その操作スイッチに関連付けられているアドレス情報と、操作スイッチの操作状態とを制御指示として伝送ユニット１０に送信する。
【００３２】
操作スイッチにアドレス情報として個別アドレスまたはグループアドレスが関連付けられている場合、この操作スイッチのプッシュ操作に応じて、アドレス情報に対応する照明装置１は、オン状態、オフ状態または所定の調光状態へと移行する。一方、操作スイッチにアドレス情報としてパターンアドレスが関連付けられている場合、この操作スイッチのプッシュ操作に応じて、アドレス情報に対応する個々の照明装置１は予め設定されたパターン状態へと移行する。
【００３３】
図３は、本実施形態にかかる照明制御システムの動作手順を示す説明図である。まず、ステップ１（Ｓ１）において、外部システム３５によって接点メイクがなされると、接点入力Ｔ／Ｕ３０から伝送ユニット１０に対して緊急指示が入力される。
【００３４】
図４は、ステップ１の処理を詳細に示す説明図である。具体的には、ステップ１０（Ｓ１０）において、接点信号に変化が生じると、接点入力Ｔ／Ｕ３０は、伝送ユニット１０に割り込み要求を送信する。
【００３５】
つぎに、ステップ１１（Ｓ１１），１２（Ｓ１２）において、伝送ユニット１０は、自己に接続する端末器（調光Ｔ／Ｕ２０、接点入力Ｔ／Ｕ３０、操作端末器５０）のうち、割り込み要求を行った端末器を特定する処理を行う。具体的には、伝送ユニット１０は、割り込み要求として送信された伝送信号において、それに含まれる情報のなかから、端末器識別用のアドレスデータの上位アドレスを特定する。そして、伝送ユニット１０は、この上位アドレスに対応する複数の端末器をグループとして一括的にアクセスするグループアクセスによって、端末検索を送信する。つぎに、端末検索の送信に対応して、割り込み要求を行った端末器、すなわち、接点入力Ｔ／Ｕ３０は、残りの下位アドレスを伝送ユニット１０に対して返信する。これにより、接点入力Ｔ／Ｕ３０は、自己が割込み要求を行ったことを伝送ユニット１０に対して知らせることができる。
【００３６】
ステップ１３（Ｓ１３）において、伝送ユニット１０は、接点入力Ｔ／Ｕ３０から下位アドレスを取得すると、これに基づいて端末器、すなわち、接点入力Ｔ／Ｕ３０を特定し、この接点入力Ｔ／Ｕ３０に対して、接点監視要求を送信する。ステップ１４（Ｓ１４）において、接点入力Ｔ／Ｕ３０は、接点監視要求に対する返信を行う。この際、接点入力Ｔ／Ｕ３０は、その接点信号が緊急指示に対応するものである場合には、後述するように、調光Ｔ／Ｕ２０に制御状態の記憶をさせる必要があるので、それを識別可能な形態で返信を行うこととする。
【００３７】
ステップ１５（Ｓ１５）において、伝送ユニット１０は、割込み要求を行った接点入力Ｔ／Ｕ３０に対して、状態監視要求を送信する。ステップ１６（Ｓ１６）において、接点入力Ｔ／Ｕ３０は、接点信号の状態を伝送ユニット１０に対して返信する。
【００３８】
図３を参照するに、ステップ２（Ｓ２）において、伝送ユニット１０は、接点入力Ｔ／Ｕ３０とのやり取りを通じて、これが緊急指示に対応する接点入力Ｔ／Ｕ３０からの信号であることを認識すると、調光Ｔ／Ｕ２０に対して記憶指示を出力する。この際、伝送ユニット１０は、自己に接続する全ての調光Ｔ／Ｕ２０に対して記憶指示を出力する。
【００３９】
ステップ３（Ｓ３）において、伝送ユニット１０は、パターン情報を参照し、接点入力Ｔ／Ｕ３０のアドレス情報（ＰＥ）に対応する負荷アドレスと、個々の照明装置１に関するパターン状態とを特定する。そして、伝送ユニット１０は、該当する負荷アドレスの調光Ｔ／Ｕ２０に対して、パターン状態への移行を指示する制御指示を出力する。
【００４０】
つぎに、ステップ４（Ｓ４）において、外部システム３５によって接点ブレークがなされると、接点入力Ｔ／Ｕ３０は、伝送ユニット１０に対して復帰指示を出力する。また、ステップ５（Ｓ５）において、伝送ユニット１０は、調光Ｔ／Ｕ２０に対して復帰指示を出力する。この際、伝送ユニット１０は、自己に接続する全ての調光Ｔ／Ｕ２０に対して記憶指示を出力する。
【００４１】
図５は、調光Ｔ／Ｕ２０の動作手順を示すフローチャートである。まず、ステップ２０（Ｓ２０）において、調光Ｔ／Ｕ２０は、記憶指示を受信したか否かを判断する。このステップ２０において肯定判定された場合は、ステップ２１（Ｓ２１）に進む。一方、ステップ２０において否定判定された場合は、ステップＳ２２に進む。
【００４２】
ステップ２１において、調光Ｔ／Ｕ２０は、自己に接続する負荷に関する現在の制御状態を復帰用情報として記憶部２０ｅに記憶する。
【００４３】
ステップ２２において、調光Ｔ／Ｕ２０は、復帰指示を受信したか否かを判断する。このステップ２０において肯定判定された場合は、ステップ２３（Ｓ２３）に進む。一方、ステップ２２において否定判定された場合は、本ルーチンを抜ける。
【００４４】
ステップ２３において、調光Ｔ／Ｕ２０は、記憶部２０ｅに記憶された復帰用情報に対応させて、自己に接続する負荷の状態を制御する。
【００４５】
このように本実施形態によれば、図6に示すように、調光Ｔ／Ｕ２０が自己に接続する照明装置１の制御状態を記憶することができる（図６（ａ）の状態）。そのため、照明装置１の制御状態が一括的に切り替えられたとしても（図６（ｂ）の状態）、その記憶を参照することで、従前の制御状態へと復帰させることができる（図６（ｃ）の状態）。これにより、一括的な制御が行われた場合であっても、個々の負荷の制御状態を従前の状態へと容易に復帰させることができる。また、個別制御、グループ制御、パターン制御といった種々の照明制御を効率的に使用することができる。
【００４６】
（第２の実施形態）
図７は、第２の実施形態にかかる照明制御システムの動作手順を示す説明図である。まず、ステップ３０（Ｓ３０）において、外部システム３５によって接点メイクがなされると、接点入力Ｔ／Ｕ３０から伝送ユニット１０に対して緊急指示が入力される。
【００４７】
ステップ３１（Ｓ３１）において、伝送ユニット１０は、接点入力Ｔ／Ｕ３０とのやり取りを通じて、これが緊急指示に対応する接点入力Ｔ／Ｕ３０からの信号であることを認識すると、調光Ｔ／Ｕ２０に対して記憶指示を出力する。この際、伝送ユニット１０は、自己に接続する全ての調光Ｔ／Ｕ２０に対して記憶指示を出力する。
【００４８】
ステップ３２（Ｓ３２）において、伝送ユニット１０は、パターン情報を参照し、接点入力Ｔ／Ｕ３０のアドレス情報（ＰＥ）に対応する負荷アドレスと、個々の照明装置１に関するパターン状態（全点灯）とを特定する。そして、伝送ユニット１０は、該当する負荷アドレスの調光Ｔ／Ｕ２０に対して、パターン状態（全点灯）への移行を指示する制御指示を出力する。
【００４９】
ステップ３３（Ｓ３３）において、伝送ユニット１０は、調光Ｔ／Ｕ２０に対して記憶終了指示を出力する。この記憶終了指示は、調光Ｔ／Ｕ２０に対して、記憶指示を取得した後に緊急指示に対応する制御指示を取得したものについて、復帰用情報を記憶部２０ｅに記憶させることを意図する信号である。すなわち、記憶指示を取得したものの、この記憶終了指示を取得するまでに、緊急指示に対応する制御指示を取得しない調光Ｔ／Ｕ２０は、記憶指示に対応して、復帰用情報を暫定的に記憶するものの、それを記憶部２０ｅに最終的に格納せずに破棄することとなる。伝送ユニット１０は、自己に接続する全ての調光Ｔ／Ｕ２０に対して記憶終了指示を出力する。
【００５０】
つぎに、ステップ３４（Ｓ３４）において、外部システム３５によって接点ブレークがなされると、接点入力Ｔ／Ｕ３０は、伝送ユニット１０に対して復帰指示を出力する。また、ステップ３５（Ｓ３５）において、伝送ユニット１０は、調光Ｔ／Ｕ２０に対して復帰指示を出力する。この際、伝送ユニット１０は、自己に接続する全ての調光Ｔ／Ｕ２０に対して記憶指示を出力する。
【００５１】
このように本実施形態によれば、一括的な制御が行われた場合であっても、個々の負荷の制御状態を従前の状態へと容易に復帰させることができる。
【００５２】
ところで、伝送ユニット１０が自己に接続する全ての端末器に対して、記憶指示および復帰指示を送信するものであるため、緊急指示に対応していない照明装置１の状態をその間に意図的に個別制御したとしても、復帰指示に対応して、記憶指示タイミングに制御状態に戻されてしまう。しかしながら、本実施形態によれば、図８に示すように、緊急指示に対応して制御状態が移行させられた照明装置１に限定して、その制御状態が記憶されるので、このような不都合を解消することができる。
【００５３】
（第３の実施形態）
上述した第１または第２の実施形態では、照明装置１の制御状態を調光Ｔ／Ｕ２０において記憶する構成であるのに対して、本実施形態では、伝送ユニット１０によってこれを行うものである。
【００５４】
図９は、第３の実施形態にかかる照明制御システムの動作手順を示す説明図である。まず、ステップ４０（Ｓ４０）において、外部システム３５によって接点メイクがなされると、接点入力Ｔ／Ｕ３０から伝送ユニット１０に対して緊急指示が入力される。
【００５５】
ここで、伝送ユニット１０は、特定手段としての機能を実行し、これにより、自己の接続する調光Ｔ／Ｕ２０を介して、それに接続する照明装置１の制御状態を特定する（図１０（ａ））。また、伝送ユニット１０は、処理手段としての機能を実行し、これにより、パターン情報を参照し（図１０（ｂ））、特定される照明装置１の制御状態のうち、このアドレス情報に該当する照明装置１の情報を選択して（図１０（ｃ））、これを復帰用情報として図示しない記憶手段に記憶する。
【００５６】
ステップ４１（Ｓ４１）において、伝送ユニット１０は、パターン情報を参照し、接点入力Ｔ／Ｕ３０のアドレス情報（ＰＥ）に対応する負荷アドレスと、個々の照明装置１に関するパターン状態（全点灯）とを特定する。そして、伝送ユニット１０は、該当する負荷アドレスの調光Ｔ／Ｕ２０に対して、パターン状態（全点灯）への移行を指示する制御指示を出力する。
【００５７】
つぎに、ステップ４２（Ｓ４２）において、外部システム３５によって接点ブレークがなされると、接点入力Ｔ／Ｕ３０は、伝送ユニット１０に対して復帰指示を出力する。
【００５８】
そして、ステップ４３（Ｓ４３）において、伝送ユニット１０は、記憶された復帰用情報に基づいて、調光Ｔ／Ｕ２０に対して復帰指示を出力する。
【００５９】
このように本実施形態によれば、一括的な制御が行われた場合であっても、個々の負荷の制御状態を従前の状態へと容易に復帰させることができる。また、調光Ｔ／Ｕ２０にシステム上の変更を必要とすることなく、上述した第２の実施形態と同様の効果を奏することができる。
【００６０】
以上、本発明の実施形態にかかる照明制御システムおよび接点入力端末器（接点入力Ｔ／Ｕ４０）について説明したが、本発明は上述した実施形態に限定されることなく、その発明の範囲内において種々の変形が可能である。例えば、各実施形態では負荷として照明装置１を例示したが、接点信号によってその動作を制御することができる種々の負荷について、本発明を適用することができる。
【図面の簡単な説明】
【００６１】
【図１】第１の実施形態にかかる照明制御システムを模式的に示す構成図
【図２】調光Ｔ／Ｕ２０の構成を示すブロック図
【図３】照明制御システムの動作手順を示す説明図
【図４】ステップ１の処理を詳細に示す説明図
【図５】調光Ｔ／Ｕ２０の動作手順を示すフローチャート
【図６】第１の実施形態における照明装置１の制御状態推移を示す説明図
【図７】第２の実施形態にかかる照明制御システムの動作手順を示す説明図
【図８】第１の実施形態における照明装置１の制御状態推移を示す説明図
【図９】第３の実施形態にかかる照明制御システムの動作手順を示す説明図
【図１０】伝送ユニット１０の処理を説明する説明図
【符号の説明】
【００６２】
１        照明装置
１０      伝送ユニット
２０      調光Ｔ／Ｕ
２０ａ    伝送用制御部
２０ｂ    調光用制御部
２０ｃ    伝送信号送受信部
２０ｄ    光通信部
２０ｅ    記憶部
２０ｆ    ゼロクロス検出部
２０ｇ    電源部
２０ｈ    負荷用リレー
２０ｉ    調光部
３０      接点入力Ｔ／Ｕ
３１      第１の端子部
３２      第２の端子部
３３      第３の端子部
３５      外部システム
４０      トランス
５０      操作端末器
【図１】
0005162216.tif 000002
【図２】
0005162216.tif 000003
【図３】
0005162216.tif 000004
【図４】
0005162216.tif 000005
【図５】
0005162216.tif 000006
【図６】
0005162216.tif 000007
【図７】
0005162216.tif 000008
【図８】
0005162216.tif 000009
【図９】
0005162216.tif 000010
【図１０】
0005162216.tif 000011